【手続補正書】
【提出日】令和2年1月27日(2020.1.27)
【手続補正１】
【補正対象書類名】特許請求の範囲
【補正対象項目名】全文
【補正方法】変更
【補正の内容】
【特許請求の範囲】
【請求項１】
情報処理装置であって、
前記情報処理装置を制御する制御部を備え、
前記制御部は、
電気治療器のユーザの行動の内容を示す行動情報を取得し記憶部に格納する格納処理部を備え、前記ユーザの行動は、ユーザ自身の動作またはユーザの当該電気治療器に対する操作であり、
記憶部に格納されているユーザの行動の内容を示す行動情報に基づき、ユーザ自身の動作の傾向またはユーザの当該電気治療器に対する操作の傾向であるユーザの行動の傾向を判定する傾向判定部と、
前記行動の傾向に対応した治療内容を、前記電気治療器に実施させるための治療プログラムを決定するプログラム決定部と、をさらに備える、情報処理装置。
【請求項２】
前記電気治療器は、
身体の部位に接触されるように構成される電極部を介して、前記治療プログラムに従い前記部位に出力される電流を生成する電流生成部を含み、
前記治療プログラムは、電流波形を規定するパラメータを含む、請求項１に記載の情報処理装置。
【請求項３】
前記行動は、ユーザ自身の動作である場合に、
前記行動情報は、ユーザの前記動作の種類と、当該動作を行なった時間または回数とを含む、請求項１または２に記載の情報処理装置。
【請求項４】
前記行動は、前記電気治療器に対するユーザ操作である場合に、
前記行動情報は、前記ユーザ操作により実施が指定される治療モードの種類と、当該治療モードが指定された時間または回数とを含む、請求項１から３のいずれか１項に記載の情報処理装置。
【請求項５】
電気治療器であって、
前記電気治療器を制御する制御部を備え、
前記制御部は、
前記電気治療器のユーザ自身の動作の傾向またはユーザの当該電気治療器に対する操作の傾向であるユーザの行動の傾向を示す情報を取得し、取得した情報が示すユーザの行動の傾向に対応した治療内容を、前記電気治療器に実施させるための治療プログラムを決定するよう構成される、電気治療器。
【請求項６】
前記電気治療器は、
身体の部位に接触されるように構成される電極部を介して、前記治療プログラムに従い前記部位に出力される電流を生成する電流生成部を含み、
前記治療プログラムは、電流波形を規定するパラメータを含む、請求項５に記載の電気治療器。
【請求項７】
情報処理装置と、
前記情報処理装置と通信する電気治療器とを備え、
前記情報処理装置は、
前記情報処理装置を制御する制御部を含み、
前記制御部は、
記憶部に蓄積されているユーザの行動の内容を示す行動情報に基づき、ユーザの行動の傾向を判定する傾向判定部を備え、前記ユーザの行動は、ユーザ自身の動作またはユーザの前記電気治療器に対する操作であり、
前記制御部は、
前記ユーザ自身の動作の傾向またはユーザの当該電気治療器に対する操作の傾向である前記ユーザの行動の傾向に対応した治療内容を、前記電気治療器に実施させるための治療プログラムを決定するプログラム決定部と、
決定された前記治療プログラムの情報を前記電気治療器に送信する送信部と、を備える、システム。
【請求項８】
前記電気治療器は、
身体の部位に接触されるように構成される電極部を介して、前記治療プログラムに従い前記部位に出力される電流を生成する電流生成部を含み、
前記治療プログラムは、電流波形を規定するパラメータを含む、請求項７に記載のシステム。
【請求項９】
情報処理方法をコンピュータに実行させるためのプログラムであって、前記情報処理方法は、
電気治療器のユーザの行動の内容を示す行動情報を取得し記憶部に格納するステップを備え、前記ユーザの行動は、ユーザ自身の動作またはユーザの当該電気治療器に対する操作であり、
記憶部に格納されている行動情報に基づき、ユーザ自身の動作の傾向またはユーザの当該電気治療器に対する操作の傾向であるユーザの行動の傾向を判定するステップと、
前記行動の傾向に対応した治療内容を、前記電気治療器に実施させるための治療プログラムを決定するステップと、をさらに備える、プログラム。
【請求項１０】
前記電気治療器は、
身体の部位に接触されるように構成される電極部を介して、前記治療プログラムに従い前記部位に出力される電流を生成する電流生成部を含み、
前記治療プログラムは、電流波形を規定するパラメータを含む、請求項９に記載のプログラム。
【手続補正２】
【補正対象書類名】明細書
【補正対象項目名】００１９
【補正方法】変更
【補正の内容】
【００１９】
【図１】実施の形態１に従う情報処理システム１の概略的な構成を示す図である。
【図２】実施の形態１にかかる低周波治療器２０の外観を端末装置１０と関連付けて示す図である。
【図３】実施の形態１にかかる低周波治療器２０の内部構成を概略的に示す図である。
【図４】実施の形態１にかかるモバイル装置２１の構成図である。
【図５】実施の形態１にかかる端末装置１０の構成図である。
【図６】実施の形態１にかかるサーバ３０の構成図である。
【図７】実施の形態１にかかるサーバ３０の機能構成を示す図である。
【図８】実施の形態１にかかるテーブル３２の内容の一例を示す図である。
【図９】実施の形態１にかかる行動情報格納部３１の内容の一例を示す図である。
【図１０】実施の形態１にかかる処理フローチャートである。
【手続補正３】
【補正対象書類名】明細書
【補正対象項目名】００２９
【補正方法】変更
【補正の内容】
【００２９】
端末装置１０は、「情報処理装置」の一例である。端末装置１０は、たとえば、タッチパネルを備えるスマートフォンである。なお、端末装置１０は、折り畳み式携帯電話、タブレット端末装置、ＰＣ（personal  computer）、ＰＤＡ（Personal  Data  Assistant）などのような他のタイプの端末装置であってもよい。
【手続補正４】
【補正対象書類名】明細書
【補正対象項目名】００３８
【補正方法】変更
【補正の内容】
【００３８】
制御部２０３は、典型的には、ＣＰＵ（Central  Processing  Unit）またはＭＰＵ（Micro-Processing  Unit）を含む。制御部２０３は、記憶部２０６に記憶されたプログラムを読み出して実行することで、低周波治療器２０の各部の動作を制御する制御部として機能する。
【手続補正５】
【補正対象書類名】明細書
【補正対象項目名】００４３
【補正方法】変更
【補正の内容】
【００４３】
電流生成部２０４は、パッド２からユーザの身体の部位（より特定的には治療すべき部位）に流れる電流（以下、「治療電流」ともいう。）を生成する回路である。電流生成部２０４のＰＷＭ回路２０９は、制御部２０３からのＰＷＭ制御信号に従い、パルス電流を一定に保つとともに出力電流量を調節しながら、ＰＷＭ制御信号により指示された（すなわち、パラメータにより示された）振幅、デューティ比（周期）等を有したパルス電流を出力する。このように、電流生成部２０４から出力される治療電流の波形（以下、「治療波形」ともいう）は、制御部２０３からのパラメータに従うＰＷＭ制御信号によって決定される。なお、治療電流は、パルス電流に限定されず、交流を用いてもよいし、両種類の電流を選択的に用いてもよい。
【手続補正６】
【補正対象書類名】明細書
【補正対象項目名】００６１
【補正方法】変更
【補正の内容】
【００６１】
ＨＤＤ５０７は、行動情報格納部３１およびテーブル３２を有する。行動情報格納部３１は、端末装置１０から受信する行動情報を蓄積しながら格納するための領域である。行動情報は、後述するようにユーザの日常の動作に基づく行動情報（以下、動作-行動情報という）６０と、ユーザの低周波治療器２０に対する操作に基づく行動情報（以下、操作-行動情報という）６１を含む。テーブル３２は、治療波形の情報（より特定的には、上記に述べたパラメータ）が登録されている。行動情報格納部３１とテーブル３２の詳細は後述する。
【手続補正７】
【補正対象書類名】明細書
【補正対象項目名】００７６
【補正方法】変更
【補正の内容】
【００７６】
（行動情報格納部３１の説明）
図９は、実施の形態１にかかる行動情報格納部３１の内容の一例を示す図である。図９を参照して、行動情報格納部３１は、複数の行動の種類と、各行動の種類に関連づけて当該行動がなされた時間または回数とを有する。行動の種類が、ユーザの動作（例えば、歩行、立ったままの電車移動など）である場合には、当該動作がなされた時間が関連付けられる。また、行動の種類が、低周波治療器２０に対するユーザ操作（肩モードの指定、刺激強度が５以上の指定、腰モードの指定など）である場合には、当該操作がなされた回数（または時間）が関連付けられる。
【手続補正８】
【補正対象書類名】明細書
【補正対象項目名】００７８
【補正方法】変更
【補正の内容】
【００７８】
（テーブル３２の説明）
図８は、実施の形態１にかかるテーブル３２の内容の一例を示す図である。図８を参照して、テーブル３２は、複数種類の行動の内容を示す行動内容３２１と、各行動内容３２１に関連づけて推奨する治療波形のパラメータ３２２を含む。テーブル３２の情報は、実験などにより取得される。なお、パラメータ３２２は、上記に述べた波形パラメータ、電圧パラメータ、および時間パラメータを含み得る。
【手続補正９】
【補正対象書類名】図面
【補正対象項目名】図３
【補正方法】変更
【補正の内容】
【図３】
2018149163.tif 000001
【手続補正１０】
【補正対象書類名】図面
【補正対象項目名】図７
【補正方法】変更
【補正の内容】
【図７】
2018149163.tif 000002